(57)【要約】      （修正有）【課題】特に中型から小型のペットの頸部の保護力を高めた首輪を提供する。【解決手段】一定幅の第１帯状体１０と、前記第１帯状体１０の両端に結合された２つの幅変更具１２，１３と、前記幅変更具１２，１３のそれぞれに結合され、前記第１帯状体１０より幅の狭い第２帯状体１４，１５と、前記第２帯状体１４，１５の前記幅変更具１２，１３が結合されたのと反対側の端部に結合された連結環１６，１７を有し、前記第２帯状体１４，１５には、雌雄連結具１８の雌部１８ｂと雄部１８ａがそれぞれ結合されていることを特徴とする首輪１は、連結環１６，１７の大きさは従来のままであって、頸部に当たる部分の第１帯状体１０が幅広であるので、ペットの頸部への衝撃は緩和される。【選択図】図１
2018139567.tif 000002
【特許請求の範囲】
【請求項１】
一定幅の第１帯状体と、
前記第１帯状体の両端に結合された２つの幅変更具と、
前記幅変更具のそれぞれに結合され、前記第１帯状体より幅の狭い第２帯状体と、
前記第２帯状体の前記幅変更具が結合されたのと反対側の端部に結合された連結環を有し、
前記第２帯状体には、雌雄連結具の雌部と雄部がそれぞれ結合されていることを特徴とする首輪。
【請求項２】
前記第１帯状体には長さ調節部が設けられていることを特徴とする請求項１に記載された首輪。
【発明の詳細な説明】
【技術分野】
【０００１】
本発明はペットに装着する首輪に関するもので、特に中型から小型の犬や猫を対象とする首輪に関するものである。
【背景技術】
【０００２】
ペット（特に犬）を繋ぎ留めておくためには、従来首輪が使われていた。首輪はペットが自分で脱着することができない位置でペットを拘束するので、抜けることがない。また、ペットが飼い主の指示に従わず、勝手な進行を行おうとすると、首が締まる（所謂チョークタイプ）の首輪もある。
【０００３】
大型犬のように、急所である首回りに十分な脂肪と筋肉のある動物は、首部に圧迫を与えられても、さほど苦にはならないかもしれないが、中型犬から小型犬に関しては、首部への圧迫はあまりよいものとは考えられていない。
【０００４】
気管部周辺への圧迫を抑制するという観点では特許文献１がある。これは革製ベルトからなる本体にナイロン製の筒形状の布地からなる保護部材をかぶせたものである。
【０００５】
また、特許文献２には、首輪主体の内側に幅広な柔軟性を有する首当てを取り付けた首輪が開示されている。
【０００６】
また特許文献３には、帯状体の一辺は直線であって、対向辺は円弧状に形成し、中央部分に円弧状の辺にむかって連結環が取り付けられるようにした首輪が開示されてある。
【０００７】
なお、首輪の形態として特許文献４には、帯状体の両端に連結環が結合され、それより内側に雌雄連結具の雌部と雄部がそれぞれ結合された形態のものは知られていた。これは、両端の連結環を引き紐に連結するもので、犬が自分から引き紐を引っ張る状況になっても、首輪自体が締まることで頸部を圧迫しにくくする構造を提供している。
【先行技術文献】
【特許文献】
【０００８】
【特許文献１】特開平１０−０４２７３８号公報
【特許文献２】実用新案登録第３１０１９５８号公報
【特許文献３】特開２００９−２８４８８０号公報
【特許文献４】特開平１１−０３２６１４号公報
【発明の概要】
【発明が解決しようとする課題】
【０００９】
特許文献１および２は、頸部への圧迫を柔らかい素材で受けることで緩和しようとする観点で想到されたものである。しかし、ペットが急に走り出した際のインパクト様の衝撃が加わった際には、結局心材となる首輪の太さとほぼ同じ面積で衝撃が頸部に伝わる。したがって、柔らかい素材を頸部に当てるというのは、皮膚への擦れを緩和することになっても、インパクト様の衝撃に対しての保護効果はそれほど期待できない。
【００１０】
特許文献３は、ペットが引っ張った際には、円弧部分で衝撃を受けるので、頸部への圧迫が抑制されるというものであるが、これは首輪の円弧側の辺で衝撃をうけるので、事情は特許文献１および２と同じと考えられる。
【００１１】
以上のように、ペットの頸部への圧迫を緩和するには、より物理的な対応が必要となる。インパクト様の衝撃から頸部を保護する確実な解決方法としては、首輪の部分を太くするのが最も効果的である。すなわち、太い首輪を装着させることである。
【００１２】
しかし、太い首輪はそれにふさわしい大型のペット用に製造されており、引き紐と連結する連結環も太く、大きい。このような連結環には、引き紐も太いものしか企画されていないという現状がある。結果、中型、小型のペットの頸部を保護するために太い首輪を用意すると、連結環や引き紐も太くなり、これらの重量がペットだけでなく、飼い主側への負担となっていたという課題があった。
【課題を解決するための手段】
【００１３】
本発明は、上記の現状および課題に鑑みて想到されたものであり、特に中型から小型のペットの頸部の保護力を高めた首輪を提供するものである。
【００１４】
より具体的に本発明に係る首輪は、
一定幅の第１帯状体と、
前記第１帯状体の両端に結合された２つの幅変更具と、
前記幅変更具のそれぞれに結合され、前記第１帯状体より幅の狭い第２帯状体と、
前記第２帯状体の前記幅変更具が結合されたのと反対側の端部に結合された連結環を有し、
前記第２帯状体には、雌雄連結具の雌部と雄部がそれぞれ結合されていることを特徴とする。
【発明の効果】
【００１５】
本発明に係る首輪は、頸部に当たる部分に幅広の第１帯状体を配置し、その両端をそれより狭い第２帯状体で引っ張る構成としたので、頸部に与える衝撃は広い面積で与えることとなり、頸部への衝撃は緩和されることとなる。
【００１６】
また、引き紐と連結される連結環は、幅の狭い第２帯状体に結合されているため、大きくならず、ペット自身はもとより、飼い主への負担も軽くてよい。
【図面の簡単な説明】
【００１７】
【図１】本発明に係る首輪の斜視図である。
【図２】本発明に係る首輪の平面図である。
【図３】幅変更具を示す図である。
【図４】幅変更具の変形例を示す図である。
【発明を実施するための形態】
【００１８】
以下に本発明に係る首輪について図面および実施例を示し説明を行う。なお、以下の説明は、本発明の一実施形態および一実施例を例示するものであり、本発明が以下の説明に限定されるものではない。以下の説明は本発明の趣旨を逸脱しない範囲で改変することができる。
【００１９】
図１には、本発明に係る首輪の斜視図を示す。また、図２には、平面図（ペットに装着した際には、外側となる側から見た平面図）を示す。本発明に係る首輪１は、第１帯状体１０と幅変更具１２、１３と、第２帯状体１４、１５と連結環１６、１７と雌雄連結具１８で構成されている。
【００２０】
第１帯状体１０は一定幅の帯状素材で形成されている。引っ張り強さが高く、可撓性に富んだ素材が好適に利用できる。皮、合成皮革、布、化学繊維といった素材が単独若しくは複合又は積層されて用いられる。第２帯状体１４、１５も同じ素材を用いることができる。
【００２１】
第１帯状体１０は、ペットの頸部に当たる部分で、幅広に形成されている。通常首輪は、小型用としては、幅が８ｍｍ〜１２ｍｍ程度があり、中型用としては１３ｍｍ〜１７ｍｍであるが、本発明に係る首輪１の第１帯状体１０は、１．５倍以上の幅のサイズを用いる。一方、第２帯状体１４、１５は、通常の幅のサイズを用いる。
【００２２】
さて、第１帯状体１０の両端には、幅変更具１２、１３が結合される。幅変更具１２、１３とは、断面略円形の線材で略台形に形成された環である。剛性の高い素材で利用され、金属、プラスチック、ＦＲＰ、カーボンファイバーといった素材が好適に利用できる。
【００２３】
図３に幅変更具１２の平面図を示す。なお、幅変更具１３も同じ構成であるので、説明は省略する。幅変更具１２は、幅広部１２ａと、幅狭部１２ｂと、連結部１２ｃ、１２ｄからなる。幅広部１２ａと幅狭部１２ｂは平行に形成されている。連結部１２ｃ、１２ｄは、幅広部１２ａと幅狭部１２ｂの端部を互いに連結する。なお、幅広部１２ａ若しくは幅狭部１２ｂのいずれか一方は切れ目１２ｖがあってもよい。また、幅変更具１３においても、幅広部１３ａ、幅狭部１３ｂ、連結部１３ｃ、１３ｄおよび切れ目１３ｖが存在する。
【００２４】
首輪１として使用された際には、幅広部１２ａと幅狭部１２ｂの間に張力がかかる場合が多々ある。この時、幅広部１２ａ若しくは幅狭部１２ｂの何れか一方の切れ目１２ｖについては、使用上問題がない。一方、実際の製造を考えると、第１帯状体１０および第２帯状体１４、１５をこの切れ目１２ｖを使って連結する場合も考えられるからである。もちろん、強度の点からは切れ目１２ｖはない方が好ましい。
【００２５】
幅変更具１２、１３では、幅広部１２ａは、第１帯状体１０の幅に合わせられ、幅狭部１２ｂは第２帯状体１４、１５の幅に合わせられる。なお、少なくとも幅広部１２ａは第１帯状体１０の幅に合わせられる必要がある。ここで幅に合わせてとは、幅広部１２ａの直線部分１２ａｗが第１帯状体１０の幅より長いことである。
【００２６】
図４には、幅変更具１２の変形例である幅変更具４２を示す。幅変更具１３も幅変更具４２と同形の幅変更具４３（図示せず）を使用できることは言うまでもない。幅変更具４２は、幅変更具１２を同じ構成であるが、幅広部１２ａに設けられていた切れ目１２ｖに相当する部分がなく、幅広部４２ａと幅狭部４２ｂの中央に仕切り部４２ｆが設けられている。
【００２７】
このような幅変更具４２は、第１帯状体１０と第２帯状体１４、１５が連結された際に、仕切り部４２ｆが存在するため、連結部分がほとんど動かず、タイトな装着感となる。
【００２８】
図１を再度参照する。第１帯状体１０と幅変更具１２、１３との連結の方法は特に限定されるものではない。一例としては、図１に示すように、第１帯状体１０の一端を折り返し、幅変更具１２（および１３）を挿通係止した後、一端を第１帯状体１０に縫い付けるという方法がある。
【００２９】
また、第１帯状体１０には、長さ調整部２０を形成してもよい。この場合、第１帯状体１０の他端を長さ調整部２０のバックル２２の一方の外柱２２ａから中柱２２ｃを抱くようにして他方の外柱２２ｂ側に通し、折り返して中柱２２ｃに連結する。この際、折り返し部分には、幅変更具１３を挿通係止する。このように、第１帯状体１０の端部の折り返し部分に幅変更具１２、１３が挿通係止されても、幅変更具１２、１３は、第１帯状体１０の両端に結合されていると言える。
【００３０】
第２帯状体１４、１５は、すでに説明したように、一端を幅変更具１２、１３に結合された一定幅の帯状材である。幅変更具１２、１３に結合されたのと反対側の端部には連結環１６、１７が結合されている。連結環１６、１７は、Ｄ環であってよく、またＯ（オー）環であってもよい。ここで、Ｄ環とは、一部に直線部分を有する環材である。Ｏ環とは、曲線部分だけで形成された環材である。
【００３１】
第２帯状体１４、１５において、幅変更具１２、１３および連結環１６、１７との結合方法は特に限定されるものではない。一例としては、端部を折り返しそこに幅変更具１２、１３若しくは連結環１６、１７を挿通係止し、折り返し部分は、第２帯状体１４、１５自体に縫合などで結合させる方法が好適に利用できる。
【００３２】
また、第２帯状体１４、１５には、雌雄連結具１８の雌部１８ｂと雄部１８ａがそれぞれ結合されている。結合方法は特に限定されるものではないが、図１に示すように、第２帯状体１５の折り返し部分に雌部１８ｂの基部を挿通係止してしまう方法や、雄部１８ａの基部に第２帯状体１４を挿通しておいてから、連結環１６を結合し、連結環１６と幅変更具１２の間に雄部１８ａを閉じ込める方法等が好適に利用できる。なお、雌雄連結具１８の基部とは、雄部１８ａおよび雌部１８ｂを他の部材と連結させるために雄部１８ａと雌部１８ｂに設けられた環状部分である。
【００３３】
図１では、説明のために雌部１８ｂは、第２帯状体１５に縫い付け、雄部１８ａは、幅変更具１２と連結環１６の間に挟んだ形態を示したが、両方とも同じ方法で結合してよいことは言うまでもない。
【００３４】
以上のように、構成された首輪１について、その効果を説明する。図１および図２を参照する。ペットの頸部に当たる部分の第１帯状体１０は幅広に構成されているので、ペットが急に走り出すといった際にペットの頸部に加わるインパクト様の衝撃に対しては、広い面積で受けることになる。
【００３５】
第１帯状体１０の両端は、幅変更具１２、１３の幅広部１２ａ、１３ａで受けている。したがって、第１帯状体１０の全面で衝撃を受けることが可能になる。もし第１帯状体１０の幅の一部だけで、衝撃を受けると、結局その他の幅の部分は衝撃を受けることに寄与せず、幅の狭い帯状体で衝撃を受けることと同じになるからである。
【００３６】
本発明に係る首輪１では、第１帯状体１０に合った幅の幅広部１２ａ、１３ａで第１帯状体１０を受けているので、全面で衝撃を受けていると言える。結果、ペットの頸部に加わるダメージは、幅の狭い場合と比較して緩和されている。
【００３７】
一方、引き紐と連結される第２帯状体１４、１５には、連結環１６、１７が結合されている。第２帯状体１４、１５は、そのペットの大きさに応じた首輪の幅と同じになるので、引き紐および引き紐の連結具（ナス環と呼ばれる連結環）による負担はこれまで通りである。
【００３８】
また、第１帯状体１０の両端を第２帯状体１４、１５で引っ張り、首輪１のゆるみ自体は、雌雄連結具１８で固定している。したがって、首輪１がゆるんで、脱離することがなく、また、首輪１自体が締まって、ペットの頸部を締め上げるといったことも回避される。
【００３９】
以上のように、本発明に係る首輪は、ペットの大きさに応じた首輪にそれより太い帯状体を連結したので、ペットの頸部に加わる衝撃を分散させることができ、ペットの保護に寄与する。
【産業上の利用可能性】
【００４０】
本発明に係る首輪は犬や猫といったペット用首輪として好適に利用することができる。
【符号の説明】
【００４１】
１  首輪
１０  第１帯状体
１２、１３  幅変更具
１２ａ  幅広部
１２ｂ  幅狭部
１２ｃ、１２ｄ  連結部
１４、１５  第２帯状体
１６、１７  連結環
１８  雌雄連結具
１８ｂ  雌部
１８ａ  雄部
２０  長さ調整部
２２  バックル
２２ａ、２２    外柱ｂ
２２ｃ  中柱
４２ａ  幅広部
４２ｂ  幅狭部
４２ｃ、４２ｄ  連結部
【図１】
2018139567.tif 000003
【図２】
2018139567.tif 000004
【図３】
2018139567.tif 000005
【図４】
2018139567.tif 000006